(57)【要約】【課題】簡単な構成で広がり角度が大きい複数のライン光を発生させることができるライン光発生光学系及びそれを搭載した低価格の複数ライン光を照射できるレーザ墨出し装置を提供する。【解決手段】ロッドレンズのレンズ面のうち、光入射面側には入射光を透過光と反射光に分離するための光分離面を形成する。透過光はロッドレンズの前方で１８０°近い広がりを有するライン光となり、反射光は主にロッドレンズの後方で１８０°近い広がりを有するライン光となるため、両方のライン光を合成すると３６０°程度の広がりを有するライン光を得ることが可能である。また、このライン光発生光学系をレーザ墨出し装置に搭載することで簡単な構成で複数方向のライン光を得ることができる。【選択図】　図１
2004094120.tif 000002
【特許請求の範囲】
【請求項１】
ライン光を発生させるためのロッドレンズであって、該ロッドレンズの表面の少なくとも一部に、入射光を透過光と反射光に分離するための光分離面を形成したことを特徴とするロッドレンズ。
【請求項２】
請求項１において、円柱形状をした上記ロッドレンズの光が入射する側の表面であって、全周に対して３５％から５０％の角度領域の表面に上記光分離面を形成したことを特徴とするロッドレンズ。
【請求項３】
半導体レーザと、該半導体レーザから出射した光ビームをコリメート光に変換するコリメータレンズと、該コリメート光を入射し、ライン光を発生するロッドレンズとから構成され、上記ロッドレンズはその表面の一部に、入射光を反射光と透過光に分離する光分離面が形成されていることを特徴とするライン光発生光学系。
【請求項４】
請求項３において、円柱形状をした上記ロッドレンズの光が入射する側の表面であって、全周に対して３５％から５０％の角度領域の表面に上記光分離面を形成したことを特徴とするライン光発生光学系。
【請求項５】
半導体レーザと、該半導体レーザから出射した光ビームをコリメート光に変換するコリメータレンズと、該コリメート光を反射光と透過光に分離する少なくとも１個のハーフミラーと、上記反射光と上記透過光の光路に配置されたロッドレンズとから構成され、上記ロッドレンズの表面の一部に、入射光を反射光と透過光に分離する光分離面を形成して、１８０°以上３６０°以下の広がり角度を有する少なくとも２本のライン光を形成することを特徴とするライン光発生光学系。
【請求項６】
請求項５において、円柱形状をした上記ロッドレンズの光が入射する側の表面であって、全周に対して３５％から５０％の角度領域の表面に上記光分離面を形成したことを特徴とするライン光発生光学系。
【請求項７】
請求項５において、上記ハーフミラーの反射光が上記ロッドレンズに入射したときの反射光を再び上記ハーフミラーに入射し、該ハーフミラーを透過した光を得るように構成したことを特徴とするライン光発生光学系。
【請求項８】
半導体レーザと、該半導体レーザから出射した光ビームをコリメート光に変換するコリメータレンズと、該コリメート光を反射光と透過光に分離する少なくとも第１のハーフミラーと、上記反射光の光路に配置された第１のロッドレンズと、上記透過光の光路に配置された第２のハーフミラーと、該第２のハーフミラーの反射光の光路に配置された第２のロッドレンズと、上記第２のハーフミラーの透過光の光路に配置された第３のロッドレンズとからなり、上記第１，２，３のロッドレンズの少なくとも１個のロッドレンズの表面の一部に、入射光を反射光と透過光に分離する光分離面を形成したことを特徴とするライン光発生光学系。
【請求項９】
請求項８において、上記ロッドレンズの光分離面は、光が入射する側の表面であって、全周に対して３５％から５０％の角度領域の表面に形成されていることを特徴とするライン光発生光学系
【請求項１０】
請求項８において、上記第１のハーフミラーの反射光が上記ロッドレンズに入射したときの反射光を再び上記ハーフミラーに入射し、該ハーフミラーを透過した光を得るように構成したことを特徴とするライン光発生光学系。
【請求項１１】
半導体レーザと、該半導体レーザから出射した光ビームを反射光と透過光に分離する少なくとも１個のハーフミラーと、上記反射光と上記透過光の光路の少なくとも一方に配置されたロッドレンズとから構成され、上記ロッドレンズの表面の一部に、入射光を反射光と透過光に分離する光分離面を形成して、１８０°以上３６０°以下の広がり角度を有する少なくとも２本のライン光を形成することを特徴とするライン光発生光学系。
【請求項１２】
ライン光発生光学系と、該光学系を支持する支持機構から構成されるレーザ墨出し装置であって、上記ライン光発生光学系は、半導体レーザと、該半導体レーザから出射した光ビームをコリメート光に変換するコリメータレンズと、該コリメート光を入射し、ライン光を発生するロッドレンズとから構成され、上記ロッドレンズはその表面の一部に、入射光を反射光と透過光に分離する光分離面が形成されていることを特徴とするレーザ墨出し装置。
【請求項１３】
ライン光発生光学系と、該光学系を支持する支持機構から構成されるレーザ墨出し装置であって、上記ライン光発生光学系は、半導体レーザと、該半導体レーザから出射した光ビームをコリメート光に変換するコリメータレンズと、該コリメート光を反射光と透過光に分離する少なくとも１個のハーフミラーと、上記反射光と上記透過光の光路に配置されたロッドレンズとから構成され、上記ロッドレンズの表面の一部に、入射光を反射光と透過光に分離する光分離面を形成して、１８０°以上３６０°以下の広がり角度を有する少なくとも２本のライン光を形成することを特徴とするレーザ墨出し装置。
【請求項１４】
ライン光発生光学系と、該光学系を支持する支持機構から構成されるレーザ墨出し装置であって、上記ライン光発生光学系は、半導体レーザと、該半導体レーザから出射した光ビームをコリメート光に変換するコリメータレンズと、該コリメート光を反射光と透過光に分離する少なくとも第１のハーフミラーと、上記反射光の光路に配置された第１のロッドレンズと、上記透過光の光路に配置された第２のハーフミラーと、該第２のハーフミラーの反射光の光路に配置された第２のロッドレンズと、上記第２のハーフミラーの透過光の光路に配置された第３のロッドレンズとからなり、上記第１，２，３のロッドレンズの少なくとも１個のロッドレンズの表面の一部に、入射光を反射光と透過光に分離する光分離面を形成したことを特徴とするレーザ墨出し装置。
【請求項１５】
ライン光発生光学系と、該光学系を支持する支持機構から構成されるレーザ墨出し装置であって、半導体レーザと、該半導体レーザから出射した光ビームを反射光と透過光に分離する少なくとも１個のハーフミラーと、上記反射光と上記透過光の光路の少なくとも一方に配置されたロッドレンズとから構成され、上記ロッドレンズの表面の一部に、入射光を反射光と透過光に分離する光分離面を形成して、１８０°以上３６０°以下の広がり角度を有する少なくとも２本のライン光を形成することを特徴とするレーザ墨出し装置。
【発明の詳細な説明】
【０００１】
【発明の属する技術分野】
本発明は、極めて広がり角度の大きいライン光を発生できるライン光発生光学系及びそれを搭載したレーザ墨出し装置に関するものである。
【０００２】
【従来の技術】
家屋建築の際、特に工事の開始時には各種部材の取り付け基準位置の設定や部材加工の位置決め等に水準線を出す作業、すなわち墨出し作業が必須である。そこで建築現場では、レベル測量儀等の器具を用いてレベル出しを行い、対象となる構造物の壁に複数のマーク（墨）をつけ、それらをつないで墨出しラインを形成し工事基準としていた。
【０００３】
しかし、この作業は最低でも２人で行う必要があり、非常に手間が掛かり、効率が悪いという問題があった。この問題を改善するために、最近ではライン光照射機能を有するレーザ墨出し装置を用いて効率良く墨出し作業を行うことが多くなった。レーザ墨出し装置は１人で墨出し作業を容易に行うことができるため、建築作業には欠かせない建築作業必須ツールとなりつつある。
【０００４】
墨出しラインには床から壁、天井にかけて垂直線を描くいわゆる『たちライン』や２本の『たちライン』を同時に照射させることで天井に直角ラインを描く『大矩ライン（おおがねライン）』あるいは壁に水平線を描く『ろくライン』あるいはレーザ墨出し装置の直下の床上に集光したレーザビームを照射する『地墨』等いろいろなラインが存在する。
【０００５】
レーザ墨出し装置を用いた墨出し作業の効率化を図るには、１台のレーザ墨出し装置で複数の墨出しラインが照射できることが望まれる。そこで最近では１台の装置で２ライン以上のライン照射が可能な装置が提案されている。
【０００６】
１台のレーザ墨出し装置から複数ラインを照射するためには、複数個のレーザ光源を搭載する方式か、１個のレーザ光源から出射されたレーザ光を分割することにより複数ラインを得る方式が考えられる。
【０００７】
【発明が解決しようとする課題】
複数個のレーザ光源を用いる方式の場合は当然、搭載するレーザ光源数の増加に伴い、装置のコストも高くなるという問題がある。一方、１本のレーザ光を分割することにより複数のライン光を得る方式としては、例えば特開平９−１５９４５１号に開示されるように、レーザ出射方向に複数のハーフミラーを直列に積層した構造の出射光学系を用いる方式が知られている。
【０００８】
しかし、この方式の場合、第一番目のハーフミラーを透過した光はその強度が１／２に減少し、引続き第二番目のハーフミラーを透過した光はさらに１／２に強度が減少する。このようにハーフミラーを透過する毎に光強度が逐次減少する。そのため、上述の光学系を用いることにより複数ビームを得ることは可能となるが分割された光によっては強度が大いに異なるため、得られる複数のライン光の輝度がそれぞれ異なってしまうという問題がある。
【０００９】
このため、従来実用化されているレーザ墨出し装置は、ライン光の数だけレーザ光源を備えた構造のものが多くなっている。しかしこの場合は上記の通り、光源数の増加に伴い、装置価格が上昇するため墨出し作業においてより効率の高い作業を行うためには、高価な装置が必要となるという問題をかかえていた。
【００１０】
また、従来の装置では１個のレーザ光源により得られるライン光の広がり角度はほとんどが１８０度またはそれ以下であったため、前後に垂直ライン光あるいは水平ライン光を形成するには、それぞれ２個のレーザ光源を必要とし、これも安価で効率の高い作業をする上で障害となっていた。
【００１１】
本発明の目的は、このような従来の課題を解決した簡易なライン光発生光学系及びそれを用いたレーザ墨出し装置を提供することにある。
具体的には、本発明の課題は、簡単な構成で複数のライン光を発生させることができる光学系及びそれを搭載した低価格の複数ライン光を照射できるレーザ墨出し装置を提供することである。
【００１２】
本発明の他の目的は、ライン光の広がり角度が３６０°近くに達する極めて広い角度範囲のライン光を発生する光学系およびそれを用いたレーザ墨出し装置を提供することにある。
【００１３】
【課題を解決するための手段】
上記の目的を達成するために本発明は、ライン光を発生させるためのロッドレンズの表面の少なくとも一部に、入射光を透過光と反射光に分離するための光分離面を形成したことに一つの特徴がある。このように構成することにより、広がり角度の大きいライン光を得ることが可能になる。
【００１４】
本発明の他の特徴は、円柱形状をした上記ロッドレンズの光が入射する側の表面であって、全周に対して３５％から５０％の角度領域の表面に上記光分離面を形成したことにある。このように構成すると１８０°以上で３６０°以下の広がり角度を有するライン光を得ることができる。
【００１５】
本発明の他の特徴は、半導体レーザと、該半導体レーザから出射した光ビームをコリメート光に変換するコリメータレンズと、該コリメート光を反射光と透過光に分離する少なくとも１個のハーフミラーと、上記反射光と上記透過光の光路に配置されたロッドレンズとからライン光発生光学系を構成したことにある。このようにすると、１８０°以上３６０°以下の広がり角度を有する複数のライン光を形成することが可能になる。
【００１６】
本発明の他の特徴は、上記ハーフミラーの反射光が上記ロッドレンズに入射したときの反射光を再び上記ハーフミラーに入射し、該ハーフミラーを透過した光を得るように構成したことにある。このようにすると、広がり角度の大きいライン光とは別に地墨光に使用できる光線を得ることができる。
【００１７】
本発明の他の特徴は、半導体レーザと、該半導体レーザから出射した光ビームをコリメート光に変換するコリメータレンズと、該コリメート光を反射光と透過光に分離する少なくとも第１のハーフミラーと、上記反射光の光路に配置された第１のロッドレンズと、上記透過光の光路に配置された第２のハーフミラーと、該第２のハーフミラーの反射光の光路に配置された第２のロッドレンズと、上記第２のハーフミラーの透過光の光路に配置された第３のロッドレンズとからなり、上記第１，２，３のロッドレンズの少なくとも１個のロッドレンズの表面の一部に、入射光を反射光と透過光に分離する光分離面を形成したことにある。このように構成することにより多数のしかも異なる種類のライン光を容易に得ることが可能になる。
【００１８】
本発明の他の特徴は、上述のようなロッドレンズを有する光学系を搭載したレーザ墨出し装置を構成したことにある。このようなにすると、複数ライン光照射用レーザ墨出し装置を低価格で提供することができる。
本発明の他の特徴及び利点は以下の本発明の実施例の説明からより明確に理解できる。
【００１９】
【発明の実施の形態】
（実施形態１）
本発明にかかるライン光発生光学系は、基本的にはレーザ光源とロッドレンズから構成される。図１はその一実施形態を示し、図の右側にレーザ光源があるが図示は省略してある。１はロッドレンズでの断面で、紙面と垂直方向に長い円柱形状をしている。本実施例ではロッドレンズの材料としてガラス材であるＢＫ７（屈折率１．５）を用いた。また、レンズ１の直径は２ｍｍ、長さは１５ｍｍとした。
【００２０】
ロッドレンズ１のレンズ面のうち、光入射面側には入射光を透過光と反射光に分離するための光分離面２が形成されている。この光分離面２は一般にハーフミラー面に用いられているＢＳ膜を用いてもよい。図２はこの光分離面２が形成される範囲を示し、全周の３５％から５０％程度、角度で表わすと１２６°から１８０°の範囲に光分離面を形成した。また、本実施例では、光分離面２の光透過率及び反射率が５０％になるような薄膜を形成した。
【００２１】
したがって入射光のうち５０％の光は透過光となりロッドレンズ内部に入射する。入射した光はスネルの法則に従いレンズ内部を屈折した後、出射し扇状に拡がる。ロッドレンズ１はその長手方向、つまりこの図では紙面と垂直方向には屈折作用を持たないため、ロッドレンズ１に入射した光は一方向のみ拡がり、ライン光に変換される。
【００２２】
一方、５０％の光は光分離面２で反射し、ライン光を形成する。図１においてビームＧはロッドレンズ１表面に形成された光分離面２で５０％の光が透過する。レンズ１への入射角をφ、レンズ内部での屈折角をθ、ロッドレンズ１の屈折率をｎ、空気の屈折率を１とするとスネルの法則により、
１ｓｉｎφ＝ｎｓｉｎθ　　　　（１）　　となる。
入射した光はロッドレンズ１面のうち光分離面２が形成されていない反対側の面から出射する。したがって、入射光のうちほとんどの光が出射する。この時、（１）式に示した関係を満たすため、出射ビームＧＴと出射点での法線がなす角度はφとなる。
【００２３】
ビームの入射位置によってφ及びθの値が少しずつ変わり、さらにロッドレンズ１は長手方向には屈折作用を持たないため、出射光はライン状にならぶため約１８０°に広がったライン光が得られる。
【００２４】
また、光源からのビームＧのうち残り５０％のビームＧＲは光分離面２上の入射点で反射角φで反射する。反射光についてもビーム位置によってφの値が少しずつ変わるため反射光ＧＲは１８０°近くの広がりを持ってライン光となる。したがって、透過光ＧＴによって形成されたライン光と反射光ＧＲによって形成されたライン光を合成するとほぼ３６０°の広がりを有するライン光を得ることが可能となる。
【００２５】
（実施形態２）
本発明のロッドレンズ１をレーザ墨出し装置に実装した形態について説明する。図３に示すようにレーザ墨出し装置１０は基本的にはライン光を発生させる光学系３と光学系を水平に保つための支持機構部４から構成されている。
【００２６】
図４にライン光発生光学系３の概略を示す。レーザー墨出し装置本体に対して水平方向に配置した半導体レーザ５から出射されたレーザビームはコリメータレンズ６によりビーム断面形状が円形であるコリメート光（平行光）Ｂ１に変換される。本実施形態ではコリメート光Ｂ１のビーム径は２ｍｍになるように設定している。
【００２７】
コリメート光Ｂ１の光路上には光軸に対して４５°の角度をなすように第一のハーフミラー７が配置されている。このハーフミラー７は３３％の光が反射し、６７％の光が透過するような特性を有している。反射光Ｒ１は垂直上向きに向かって進み、光路上に設置された本発明のロッドレンズ１ａに入射する。このロッドレンズ１ａはその長手方向が半導体レーザ５の出射方向と平行になるように設置されている。従って反射光Ｒ１により形成されるライン光はＲ１を含み紙面と垂直な面にほぼ３６０°の広がりをもつライン光となる。
【００２８】
また、ロッドレンズ１ａに垂直に入射した光のうち５０％の光は反射角０°で反射するため、そのまま通ってきた光路を戻り、再びハーフミラー７に入る。ハーフミラー７への戻り光のうち６７％がハーフミラー７を透過して光線Ｔ０となる。する。この光ＴＯは鉛直下向きに進むため、いわゆる地墨光として用いることができる。
【００２９】
次にハーフミラー７を透過した６７％の光は光路上に設けられた第二のハーフミラー８により５０％の光は反射し、５０％の光は透過する。設置条件はハーフミラー７の場合と同一であるため、反射光Ｒ２は垂直上向きに向かって進み、光路上に設置された本発明のロッドレンズ１ｂに入射する。このロッドレンズ１ｂは、その長手方向が半導体レーザ５の出射方向と直交するように、つまり紙面と垂直方向に設置されている。従って反射光Ｒ２により形成されるライン光はＲ２を含み紙面と同じ面にほぼ３６０°の広がりをもつライン光となる。
【００３０】
次にハーフミラー８を透過した透過光Ｔ１はその前方に設けられたロッドレンズ１ｃに入射する。このロッドレンズ１ｃはその長手方向が紙面と同じ面で半導体レーザ５の出射方向と垂直方向に向くように設置している。したがってＴ１により形成されるライン光は、Ｔ１を含み、紙面と垂直方向の面にほぼ３６０°の広がりを有する水平ライン光となる。
【００３１】
図５は図４に示した本発明のレーザ墨出し装置のライン光発生の様子を示す。図４で半導体レーザ５の左側を前方、右側を後方、半導体レーザ５の上側を上方、下側を下方とすれば、Ｒ１から形成されたライン光は装置左右垂直ライン光及び装置上方左右ライン光、Ｒ２から形成されたライン光は装置前後で垂直ライン光及び装置上方前後ライン光、Ｔ１から形成されたライン光は装置前方水平ライン光及び装置左右水平ライン光となる。さらにＴ０から装置下方に地墨光を得ることができる。なお、ミラー等の光学素子を用いることにより光線Ｒ１，Ｒ２，あるいはＴ１の出射方向を変えてもよい。
【００３２】
【発明の効果】
上述のように本発明にかかる光分離面を有するロッドレンズを用いれば、簡易な方法で，広がり角度の大きなライン光を得ることが可能となる。また、本発明によるロッドレンズをレーザ墨出し装置の光学系に搭載することで１個の光源から広がりの大きな複数本のライン光を容易に得ることができるため、低コストで複数本の墨出し用レーザライン光を発生させることが可能となった。その結果、従来は非常に高価であった複数ライン光照射用レーザ墨出し装置を低価格で得ることが可能となった。
【図面の簡単な説明】
【図１】本発明のライン光発生光学系のロッドレンズの断面図。
【図２】本発明のロッドレンズの光分離面の説明図。
【図３】本発明のライン光発生光学系を搭載したレーザ墨出し装置の概略図。
【図４】本発明のライン光発生光学系の一実施例を示す構成図。
【図５】本発明のレーザ墨出し装置により発生されるライン光の説明図。
【符号の説明】
１，１ａ，１ｂ，１ｃはロッドレンズ、２は光分離面、３はライン光発生光学系、４は支持機構部、５は半導体レーザ、６はコリメータレンズ、７は第一のハーフミラー、８は第二のハーフミラー、１０は本発明のレーザ墨出し装置
【図１】
2004094120.tif 000003
【図２】
2004094120.tif 000004
【図３】
2004094120.tif 000005
【図４】
2004094120.tif 000006
【図５】
2004094120.tif 000007